(57)【要約】【課題】  穀稈の株元部が鋼板製網上を円滑に移送されるようにすると共に、同鋼板製網を通しても脱穀処理物を漏下させて、脱穀処理物の漏下性能を良好に確保すること。【解決手段】  外周面に多数の扱歯を突設した扱胴と、同扱胴の直下方位置において扱胴の周面に沿わせて張設した受網体とを具備し、同受網体と扱胴の外周面との間に穀稈を挿入すると共に、同穀稈を扱胴の軸線方向に移送させながら軸線廻りに回転する扱胴の扱歯により脱穀し、脱穀・処理した脱穀処理物を受網体の網目を通して漏下させるようにした脱穀装置において、受網体は、穀稈の穂先部側を受ける一側半部を形成するクリンプ網と、穀稈の株元部側を受ける他側半部を形成する鋼板製網とを具備させた。【選択図】    図４
2006254734.tif 000002
【特許請求の範囲】
【請求項１】
外周面に多数の扱歯を突設した扱胴と、同扱胴の直下方位置において扱胴の周面に沿わせて張設した受網体とを具備し、同受網体と扱胴の外周面との間に穀稈を挿入すると共に、同穀稈を扱胴の軸線方向に穀稈搬入側から穀稈搬出側へ向けて移送させながら、軸線廻りに回転する扱胴の扱歯により脱穀し、脱穀・処理した脱穀処理物を受網体の網目を通して漏下させるようにした脱穀装置において、
受網体は、穀稈の穂先部側を受ける一側半部を形成するクリンプ網と、穀稈の株元部側を受ける他側半部を形成する鋼板製網とを具備することを特徴とする脱穀装置。
【請求項２】
クリンプ網と鋼板製網の境界線の位置は、穀稈搬入側から穀稈搬出側に向けて移送される穀稈の穂先部を、漸次、クリンプ網側から鋼板製網側に移送させて、穀稈搬出側に至っては穀稈の穂先部の略全部が鋼板製網上に位置するように設定したことを特徴とする請求項１記載の脱穀装置。
【請求項３】
クリンプ網と鋼板製網は着脱自在に連結したことを特徴とする請求項１又は２記載の脱穀装置。
【発明の詳細な説明】
【技術分野】
【０００１】
本発明は、脱穀装置に関する。
【背景技術】
【０００２】
従来、脱穀装置の一形態として、外周面に多数の扱歯を突設した扱胴と、同扱胴の直下方位置において扱胴の周面に沿わせて張設した受網体とを具備し、同受網体と扱胴の外周面との間に穀稈を挿入すると共に、同穀稈を扱胴の軸線方向に移送させながら軸線廻りに回転する扱胴の扱歯により脱穀し、脱穀・処理した脱穀処理物を受網体の網目を通して漏下させるようにしたものがある（例えば、特許文献１参照）。
【０００３】
そして、受網体の株元部を受ける一側半部には鉄板を張設して、受網体の網目を潰すことにより、同鉄板上にて穀稈の株本部を円滑に移送させることができるようにしている。
【特許文献１】特開２００１−１６１１５４号公報
【発明の開示】
【発明が解決しようとする課題】
【０００４】
ところが、上記した脱穀装置では、受網体の一側半部に張設した鉄板により受網体の網目を潰しているために、脱穀処理物の漏下性能が低減し、後続作業である処理物の選別作業性能に悪影響を与えている。
【課題を解決するための手段】
【０００５】
そこで、本発明では、外周面に多数の扱歯を突設した扱胴と、同扱胴の直下方位置において扱胴の周面に沿わせて張設した受網体とを具備し、同受網体と扱胴の外周面との間に穀稈を挿入すると共に、同穀稈を扱胴の軸線方向に穀稈搬入側から穀稈搬出側へ向けて移送させながら、軸線廻りに回転する扱胴の扱歯により脱穀し、脱穀・処理した脱穀処理物を受網体の網目を通して漏下させるようにした脱穀装置において、受網体は、穀稈の穂先部側を受ける一側半部を形成するクリンプ網と、穀稈の株元部側を受ける他側半部を形成する鋼板製網とを具備することを特徴とする脱穀装置を提供するものである。
【０００６】
また、本発明は、以下の構成にも特徴を有する。
【０００７】
（１）クリンプ網と鋼板製網の境界線の位置は、穀稈搬入側から穀稈搬出側に向けて移送される穀稈の穂先部を、漸次、クリンプ網側から鋼板製網側に移送させて、穀稈搬出側に至っては穀稈の穂先部の略全部が鋼板製網上に位置するように設定したこと。
【０００８】
（２）クリンプ網と鋼板製網は着脱自在に連結したこと。
【発明の効果】
【０００９】
（１）請求項１記載の本発明では、外周面に多数の扱歯を突設した扱胴と、同扱胴の直下方位置において扱胴の周面に沿わせて張設した受網体とを具備し、同受網体と扱胴の外周面との間に穀稈を挿入すると共に、同穀稈を扱胴の軸線方向に移送させながら軸線廻りに回転する扱胴の扱歯により脱穀し、脱穀・処理した脱穀処理物を受網体の網目を通して漏下させるようにした脱穀装置において、受網体は、穀稈の穂先部側を受ける一側半部を形成するクリンプ網と、穀稈の株元部側を受ける他側半部を形成する鋼板製網とを具備している。
【００１０】
このようにして、穀稈の株元部側を鋼板製網により受けるようにしているため、穀稈の株元部が鋼板製網上を円滑に移送されるようにすることができると共に、同鋼板製網を通しても脱穀処理物を漏下させることができて、脱穀処理物の漏下性能を良好に確保することができる。
【００１１】
その結果、後続作業である処理物の選別作業性能も良好に確保することができる。
【００１２】
（２）請求項２記載の本発明では、クリンプ網と鋼板製網の境界線の位置は、穀稈搬入側から穀稈搬出側に向けて移送される穀稈の穂先部を、漸次、クリンプ網側から鋼板製網側に移送させて、穀稈搬出側に至っては穀稈の穂先部の略全部が鋼板製網上に位置するように設定している。
【００１３】
このようにして、穀稈搬入側から穀稈搬出側に至るまでは穀稈の穂先部をクリンプ網上にて移送させるようにしているため、同クリンプ網と扱胴との協働により穂先部の脱穀を確実に行って、脱穀効率を向上させることができる。
【００１４】
そして、穀稈搬出側に至っては、穂先部の略全部が鋼板製網上に位置するようにしているため、同穀稈搬出側から穀稈を円滑かつ確実に搬出することができる。
【００１５】
この際、穀稈の株元部は、穀稈搬入側から穀稈搬出側まで鋼板製網上にて円滑に移送されるため、穀稈の移送作業効率を向上させることができる。
【００１６】
（３）請求項３記載の本発明では、クリンプ網と鋼板製網は着脱自在に連結している。
【００１７】
このようにして、クリンプ網と鋼板製網を着脱自在に連結しているため、例えば、クリンプ網が経時的に摩耗して、網としての機能を果たさなくなった場合には、同クリンプ網だけを取り替えることができる。その結果、受網体全体を交換する必要性がなくなり、同受網体の交換コストの低減化を図ることができる。
【発明を実施するための最良の形態】
【００１８】
図１及び図２に示す（Ａ）は、本発明に係る脱穀装置を装備するコンバインであり、（１）は走行クローラ（２）を装設するトラックフレーム、（３）は前記トラックフレーム（１）に架設する機台、（４）はフィードチェン（５）を左側に張架し扱胴（６）及び処理胴（７）を内蔵している脱穀装置である脱穀部、（８）は脱穀部（４）にて脱穀された穀粒を選別する選別部、（９）は刈刃（１０）及び穀稈搬送機構（１１）などを備える刈取部、（１２）は刈取フレーム（１３）を介して刈取部（９）を昇降させる油圧シリンダ、（１４）は排藁チェン（１５）終端を臨ませる排藁処理部、（１６）は選別部（８）からの一番処理物を揚穀筒（１７）を介して搬入する穀物タンク、（１８）は前記タンク（１６）の一番処理物を機外に搬出する排出オーガ、（１９）は運転操作部（２０）及び運転席（２１）を備える運転キャビン、（２２）は運転キャビン（１９）下方に設ける原動機部であり、連続的に穀稈を刈取って脱穀するように構成している。
【００１９】
また、図３及び図４にも示すように、図中（２３）は機体の前後方向に軸架する扱胴（６）を内設させる扱室、（２４）は前記扱室（２３）下方に張架させる受網体、（２５）は前記受網体（２４）下方に前端を臨ませて前後方向に揺動自在に支持する揺動選別盤、（２６）（２７）は前記受網体（２４）の下方に上下２段に配設する揺動選別盤（２５）の前・後部フィードパン、（２８）は前部フィードパン（２６）の後端側に上下揺動自在に設ける選別篩い線、（２９）は後部フィードパン（２７）後端後方に連設するチャフシーブ、（３０）はチャフシーブ（２９）下方に配設するグレンシーブ、（３１）は前・後部フィードパン（２６）（２７）の上下間に選別風を送給するプレファンである送塵ファン、（３２）はチャフシーブ（２９）とグレンシーブ（３０）間及びグレンシーブ（３０）下方に選別風を送給するメインの送風装置である唐箕、（３３）は揚穀筒（１７）に連通させて穀物タンク（１６）に穀粒を取出す１番コンベア、（３４）は２番物を２番還元装置である２番還元コンベア（３５）を介し前記選別盤（２５）の篩い線（２８）上方に還元する２番コンベアであり、前記扱胴（６）及び処理胴（７）により脱穀された穀粒を揺動選別盤（２５）で選別し整粒のみを前記穀物タンク（１６）に取出すと共に、排藁を排藁チェン（１５）を介して排藁処理部（１４）に送り込んで排藁カッタ（図示せず）による切断後機外に排出させるように構成している。
【００２０】
また、前記前部フィードパン（２６）の後下方位置には、図３及び図５に示すように、後部フィードパン（２７）を段差をもたせて配置しており、両者の段差の部分に選別風流入口（５３）を形成している。
【００２１】
そして、前記送塵ファン（３１）は、図３に示すように、前部フィードパン（２６）の直下方位置でかつ唐箕（３２）の前方位置に設けており、唐箕（３２）の唐箕ケース（５４）の外側と、前部フィードパン（２６）の底部間を送塵ファン（３１）のファンケース（５５）で覆って、前・後部フィードパン（２６）（２７）間に形成した前記選別風流入口（５３）に連通させている。
【００２２】
また、前記唐箕（３２）の直上方位置には後部フィードパン（２７）を配設して、チャフシーブ（２９）とグレンシーブ（３０）間及びグレンシーブ（３０）下方にそれぞれ選別風を送給する送風口（５６）（５７）を唐箕（３２）の上部及び後部に開設して、前記篩い線（２８）や直接的に受網体（２４）から落下する穀物や塵に送塵ファン（３１）からの選別風を、またチャフシーブ（２９）やグレンシーブ（３０）から落下する穀物や塵に唐箕（３２）からの選別風をそれぞれ別個に作用させて選別性能の安定向上を図るように構成している。
【００２３】
さらに、前記篩い線（２８）の上下篩い作用によって後部フィードパン（２７）やチャフシーブ（２９）での穀粒と塵の分散化を促進させることができると共に、前部フィードパン（２６）の前部上方位置に２番還元コンベア（３５）の還元口（３５ａ）を臨ませて、２番還元物の分散化も図って、限定された選別巾内で大容量の穀物の処理を有効に行えるようにしている。
【００２４】
ここで、本実施の形態では、図３に示すように、脱穀部（４）は、外周面に多数の扱歯（６ａ）を突設した扱胴（６）と、同扱胴（６）の直下方位置において扱胴（６）の外周面に沿わせて湾曲状に張設した受網体（２４）とを具備し、同受網体（２４）と扱胴（６）の外周面との間に穀稈（Ｋ）（図４参照）を挿入すると共に、同穀稈（Ｋ）を扱胴（６）の軸線方向（Ｐ）に移送させながら軸線廻りに回転する扱胴（６）の扱歯（６ａ）により脱穀し、脱穀・処理した脱穀処理物を受網体（２４）の網目を通して漏下させるようにしている。
【００２５】
上記のような構成において、本発明の要旨は、図４に示すように、受網体（２４）が、穀稈（Ｋ）の穂先部（Ｋｈ）側を受ける一側半部（本実施の形態では右側半部）を形成するクリンプ網（４０）と、穀稈（Ｋ）の株元部（Ｋｍ）側を受ける他側半部（本実施の形態では左側半部）を形成する鋼板製網（４１）とを具備していることにある。
【００２６】
すなわち、受網体（２４）は、網体支持枠（４２）にクリンプ網（４０）と鋼板製網（４１）とを張設・支持しており、同網体支持枠（４２）は、クリンプ網（４０）を補強リブ片（４３）を介して着脱自在に張設・支持する四角形枠状のクリンプ網支持枠形成片（４４）と、鋼板製網（４１）を補強リブ片（４５）を介して着脱自在に張設・支持する四角形枠状の鋼板製網支持枠形成片（４６）とから形成している。
【００２７】
そして、クリンプ網（４０）は、素線を波形に加工した縦線（４０ａ）と横線（４０ｂ）とを一定間隔で配列した金網であり、クリンプ網（４０）の表面に凹凸面を形成して、扱胴（６）に突設した扱歯（６ａ）と協働して穀稈（Ｋ）の穂先部（Ｋｈ）をもみほぐして脱穀するようにしている。
【００２８】
また、鋼板製網（４１）は、板厚が４．５ｍｍから３．２ｍｍの鋼板に、プレス加工による打ち抜きによって、処理物漏下孔としての網目（４１ａ）を多数穿設しているものであり、網目（４１ａ）は四角形状に形成して前後左右方向にそれぞれ整然と配置している。
【００２９】
このようにして、穀稈（Ｋ）の株元部（Ｋｍ）側を鋼板製網（４１）により受けるようにしているため、穀稈（Ｋ）の株元部株元部（Ｋｍ）が鋼板製網（４１）上を円滑に移送されるようにすることができると共に、同鋼板製網（４１）を通しても脱穀処理物を漏下させることができて、脱穀処理物の漏下性能を良好に確保することができる。
【００３０】
その結果、後続作業である処理物の選別作業性能も良好に確保することができる。
【００３１】
また、クリンプ網（４０）と鋼板製網（４１）の境界線の位置、すなわち、クリンプ網支持枠形成片（４４）と鋼板製網支持枠形成片（４６）との接合位置（Ｂ）は、穀稈搬入側（ａ）から穀稈搬出側（ｂ）に向けてフィードチェン（５）により移送される穀稈（Ｋ）の穂先部（Ｋｈ）を、漸次、クリンプ網（４０）側から鋼板製網（４１）側に移送させて、穀稈搬出側（ｂ）に至っては穀稈（Ｋ）の穂先部（Ｋｈ）の略全部が鋼板製網（４１）上に位置するように設定している。
【００３２】
すなわち、標準扱ぎにおける穂先部（Ｋｈ）の先端の移送軌跡（Ｑ０）も、深扱ぎにおける穂先部（Ｋｈ）の先端の移送軌跡（Ｑ１）も、浅扱ぎにおける穂先部（Ｋｈ）の先端の移送軌跡（Ｑ２）も、穀稈搬出側（ｂ）においては、鋼板製網（４１）上に位置して、穀稈（Ｋ）の穂先部（Ｋｈ）の略全部が鋼板製網（４１）上に位置するようにしている。
【００３３】
このようにして、穀稈搬入側（ａ）から穀稈搬出側（ｂ）に至るまでは、穀稈（Ｋ）の穂先部（Ｋｈ）をクリンプ網（４０）上にて移送させるようにしているため、同クリンプ網（４０）と扱胴（６）の扱歯（６ａ）との協働により穂先部（Ｋｈ）の脱穀を確実に行って、脱穀効率を向上させることができる。
【００３４】
そして、穀稈搬出側（ｂ）に至っては、穂先部（Ｋｈ）の略全部が鋼板製網（４１）上に位置するようにしているため、同穀稈搬出側（ｂ）から穀稈（Ｋ）を円滑かつ確実に搬出することができる。
【００３５】
この際、穀稈（Ｋ）の株元部（Ｋｍ）は、穀稈搬入側（ａ）から穀稈搬出側（ｂ）まで鋼板製網（４１）上にて円滑に移送されるため、穀稈（Ｋ）の移送作業効率を向上させることができる。
【００３６】
また、クリンプ網（４０）はクリンプ網支持枠形成片（４３）に着脱自在に張設していると共に、鋼板製網（４１）は鋼板製網支持枠形成片（４４）に着脱自在に張設しているため、例えば、クリンプ網（４０）が経時的に摩耗して、網としての機能を果たさなくなった場合には、同クリンプ網（４０）だけを取り替えることができる。その結果、受網体（２４）全体を交換する必要性がなくなり、同受網体（２４）の交換コストの低減化を図ることができる。
【００３７】
また、本実施の形態では、図５〜図７に示すように、前部フィードパン（２６）の上面に複数（本実施の形態では二個）の前部選別物案内体（６０）を配置する一方、後部フィードパン（２７）の上面に複数（本実施の形態では三個）の後部選別物案内体（６１）を配置すると共に、同後部選別物案内体（６１）は、平面視にて、前部選別物案内体（６０）の仮想延長線（Ｌ）上に配置している。
【００３８】
すなわち、図６〜図８に示すように、前部フィードパン（２６）の右側部に、左右方向に伸延する前後一対の固定体（６２，６２）を前後方向に一定の間隔を開けて取り付け、両固定体（６２，６２）の左右側部間に、前後方向に伸延する左右一対の支持体（６３，６３）を左右方向に一定の間隔を開けて横架状態に固定し、各支持体（６３，６３）にそれぞれ左右一対の前部選別物案内体（６０，６０）を取り付けている。（６７）は前部固定ボルトである。
【００３９】
そして、前後方向に伸延する支持体（６３）は、前後方向に伸延させて形成した左側連結片（６３ａ）と、同左側連結片（６３ａ）の右側縁部より右側上方へ傾斜状に伸延させて形成した傾斜支持片（６３ｂ）と、同傾斜支持片（６３ｂ）の右側縁部より直下方へ伸延させて形成した起立支持片（６３ｃ）と、同起立支持片（６３ｃ）の下端縁部より略水平に伸延させて形成した右側連結片（６３ｄ）とを一体成形してなるものである。
【００４０】
ここで、支持体（６３）は、機体の前後方向線（Ｐ）に対して、前端部が右側に位置すると共に、後端部が左側に位置すべく交叉状に配置している。
【００４１】
また、前部選別物案内体（６０）は、図７及び図８に示すように、一側縁部（本実施の形態では左側縁部）を前部フィードパン（２６）に近接させて配置する一方、他側縁部（本実施の形態では右側縁部）を前部フィードパン（２６）から上方へ離隔させて配置して、上面を他側縁部から一側縁部に向けて下り傾斜状の前部案内作用面（６４）となしている。
【００４２】
すなわち、前部選別物案内体（６０）は、左側連結片（６３ａ）の上面に沿わせて前後方向に伸延させて形成した下部案内片（６０ａ）と、同下部案内片（６０ａ）の右側縁部より傾斜支持片（６３ｂ）に沿わせて前後方向に伸延させて形成した中途部案内片（６０ｂ）と、同中途部案内片（６０ｂ）の右側縁部より右側外方へ片持ち状態に張り出させて前後方向に伸延させて形成した上部案内片（６０ｃ）とを一体成形してなるものである。
【００４３】
しかも、図６に示すように、中途部案内片（６０ｂ）と上部案内片（６０ｃ）は、後端部を支持体（６３）、さらには、前部フィードパン（２６）の後端縁部（２６ａ）よりも後方へ張り出させて、後部フィードパン（２７）の前部上方に位置させている。
【００４４】
さらには、上部案内片（６０ｃ）は、図８に示すように、中途部案内片（６０ｂ）の傾斜面仮想延長線（Ｑ）よりも下方に配置して、同中途部案内片（６０ｂ）よりも緩やかな傾斜面となしている。
【００４５】
このようにして、上部案内片（６０ｃ）の上面と中途部案内片（６０ｂ）の上面と下部案内片（６０ａ）の上面とにより、前記した前部案内作用面（６４）を形成している。
【００４６】
また、図６、図７及び図９に示すように、後部フィードパン（２７）の右側前部に、三個の固定・支持体（６５，６５，６５）を左右方向に一定の間隔を開けて取り付け、各固定・支持体（６５，６５，６５）にそれぞれ後部選別物案内体（６１，６１，６１）を取り付けている。
【００４７】
そして、左側の固定・支持体（６５）は、図６に示すように、左側の固定体（６２）の後方位置に配置し、また、中間部の固定・支持体（６５）は、右側の固定体（６２）の後方位置に配置し、また、右側の固定・支持体（６５）は右側の固定体（６２）の右側後方位置に配置している。（６８）は、後部固定ボルトである。
【００４８】
固定・支持体（６５）は、左右方向に伸延する前後一対の固定片（６５ａ，６５ａ）と、前後方向に伸延させて固定片（６５ａ，６５ａ）の右側端部間に傾斜状態に架設した支持本片（６５ｂ）と、同支持本片（６５ｂ）の略前半部の上端縁部より右側外方へ略水平に突出させて形成した支持縁片（６５ｃ）とを一体成形してなるものである。
【００４９】
ここで、支持本片（６５ｂ）は、その伸延方向が、図６に示す平面視にて、前記支持体（６３）の伸延方向と略平行となるように配置している。
【００５０】
また、後部選別物案内体（６１）は、図９に示すように、一側縁部（本実施の形態では左側縁部）を後部フィードパン（２７）に近接させて配置する一方、他側縁部（本実施の形態では右側縁部）を後部フィードパン（２７）から上方へ離隔させて配置して、上面を他側縁部から一側縁部に向けて下り傾斜状の後部案内作用面（６６）となしている。
【００５１】
すなわち、後部選別部案内体（６１）は、固定片（６５ａ，６５ａ）の上面と略平行させて前後方向に伸延させて形成した下部案内片（６１ａ）と、同下部案内片（６１ａ）の右側縁部より支持本片（６５ｂ）に沿わせて前後方向に伸延させて形成した中途部案内片（６１ｂ）と、同中途部案内片（６１ｂ）の右側縁部より支持縁片（６５ｃ）に沿わせて前後方向に伸延させて形成した上部案内片（６１ｃ）とを一体成形してなるものである。
【００５２】
このようにして、上部案内片（６１ｃ）の上面と中途部案内片（６１ｂ）の上面と下部案内片（６１ａ）の上面とにより、前記した後部案内作用面（６６）を形成している。
【００５３】
ここで、前記した前部案内作用面（６４）は、一側縁部から他側縁部までの傾斜案内幅（Ｗｆ）、すなわち、下部案内片（６０ａ）と中途部案内片（６０ｂ）と上部案内片（６０ｃ）とからなる左右幅を、後部案内作用面（６６）の傾斜案内幅（Ｗｒ）よりも略３倍の広幅に形成している。
【００５４】
本発明の実施形態は上記のように構成しているものであり、本実施の形態によれば、次のような作用効果が得られる。
【００５５】
すなわち、本実施の形態では、前部フィードパン（２６）の後下方位置に段差をもたせて後部フィードパン（２７）を配置して、段差の部分に選別風流入口（５３）を形成しているため、前部フィードパン（２６）から後部フィードパン（２７）に移送・落下される選別物は、段差の部分の選別風流入口（５３）から流入する送塵ファン（３１）からの選別風により風選別される。
【００５６】
そのため、大量の選別物が前部フィードパン（２６）上において扱胴（６）の回転方向（本実施の形態では正面視にて時計廻り）下手側、すなわち、穂先側に漏下した場合にも、同前部フィードパン（２６）上に配置した前部選別物案内体（６０）により大量の選別物は、扱胴（６）の回転方向下手側から回転方向上手側、すなわち、穂先側から株元側に案内されて、風選別された後に後部フィードパン（２７）上に移送され、同後部フィードパン（２７）上に移送された選別物は、後部選別物案内体（６１）によりさらに穂先側から株元側に案内されて均一に分散される。
【００５７】
この際、後部選別物案内体（６１）は、平面視にて、前部選別物案内体（６０）の仮想延長線（Ｌ）上に配置しているため、選別物の分散化を良好に確保することができる。
【００５８】
しかも、前・後部フィードパン（６０，６１）の上面に他側縁部から一側縁部に向けて下り傾斜状の前・後部案内作用面（６４，６６）を形成しているため、各前・後部案内作用面（６４，６６）を可及的に大きく形成することができて、大量の選別物でも確実に穂先側から株元側に移送・案内しながら均一に分散させることができる。
【００５９】
さらには、前部案内作用面（６４）の傾斜案内幅（Ｗｆ）を後部案内作用面（６６）の傾斜案内幅（Ｗｒ）よりも広幅に形成しているため、大量の選別物でも確実に前部案内作用面（６４）で受けて、ある程度分散させた後に後部案内作用面（６６）に引き継いで、同後部案内作用面によりさらに分散化することができる。
【００６０】
ここで、上部案内片（６０ｃ）は、中途部案内片（６０ｂ）の傾斜面仮想延長線（Ｑ）よりも下方に配置して、同中途部案内片（６０ｂ）よりも緩やかな傾斜面となしているため、上部案内片（６０ｃ）により左右方向に幅広い範囲で選別物を受けて、受けた選別物を確実に中途部案内片（６０ｂ）に流下・案内させることができる。
【００６１】
また、本実施の形態では、選別部（８）により選別された二番還元処理物は、前部フィードパン（２６）の前部に臨ませた２番還元コンベア（３５）の還元口（３５ａ）より前部選別物案内体（６０）の前部に向けて放出させるようにしている。
【００６２】
このようにして、二番還元処理物を再度前部選別物案内体（６０）により移送・案内しながら均一に分散させて、確実に選別することができる。その結果、一番処理物の回収効率を向上させることができる。
【図面の簡単な説明】
【００６３】
【図１】本発明に係るコンバインの側面図。
【図２】同コンバインの平面図。
【図３】同コンバインの脱穀部と選別部の側面説明図。
【図４】受網体の平面展開説明図。
【図５】同選別部の平面説明図。
【図６】同選別部の前・後部選別物案内体の側面説明図。
【図７】同前・後部選別物案内体の平面説明図。
【図８】図６のI-I線断面図。
【図９】図６のII−II線断面図。
【符号の説明】
【００６４】
（Ａ）コンバイン
（８）選別部
（２４）受網体
（２６）前部フィードパン
（２７）後部フィードパン
（６０）前部選別物案内体
（６１）後部選別物案内体
【図１】
2006254734.tif 000003
【図２】
2006254734.tif 000004
【図３】
2006254734.tif 000005
【図４】
2006254734.tif 000006
【図５】
2006254734.tif 000007
【図６】
2006254734.tif 000008
【図７】
2006254734.tif 000009
【図８】
2006254734.tif 000010
【図９】
2006254734.tif 000011